(57)【特許請求の範囲】
【請求項１】
冗長構成を持つホットスタンバイ方式無線装置のデータ保証回路であって、送信側の保守による切り替えの際に、切替時間により途絶えるデータ量を予め用意されているデジタルサービスチャネル部に多重して送出する送信側の制御手段と、前記デジタルサービスチャネル部に多重されたデータを元の順列でメモリに蓄積し、受信側での瞬断時間に拘わらず、所定の読み出しタイミングで当該メモリからデータを継続して取り出す受信側の制御手段と、を備えることを特徴とするホットスタンバイ方式無線装置のデータ保証回路。
【請求項２】
前記送信側の制御手段および前記受信側の制御手段は、通常動作時には、予め設定された切替準備期間で前記デジタルサービスチャネル部に多重されるデータ量が送信側の切り替えで想定される受信側の瞬断時間により途絶えるデータ量より多くなるように、送信側および受信側それぞれのメモリへの書き込みタイミングと読み出しタイミングとを制御することを特徴とする請求項１記載のホットスタンバイ方式無線装置のデータ保証回路。
【請求項３】
前記送信側の制御手段は、前記切替準備期間には、メモリから読み出したデータを前記デジタルサービスチャネル部にも順次多重すると同時に、前記切替準備期間であることを示す情報ビットを無線用制御信号部に多重して出力し、切替制御中には、当該メモリからの読み出しを停止すると同時に、前記切替制御中であることを示す情報ビットを前記無線用制御信号部に多重して出力することを特徴とする請求項１又は２記載のホットスタンバイ方式無線装置のデータ保証回路。
【請求項４】
前記受信側の制御手段は、前記切替準備期間であることを示す情報ビットを検出したときには、前記デジタルサービスチャネル部に多重されたデータを元の順列でメモリに書き込むとともに、通常動作時の読み出しタイミングでデータを読み出し、前記切替制御中であることを示す情報ビットを検出したときには、当該メモリへの書き込みを停止し、前記通常動作時の読み出しタイミングでデータを継続して読み出すことを特徴とする請求項１、２又は３記載のホットスタンバイ方式無線装置のデータ保証回路。
【請求項５】
前記送信側の制御手段は、入力された信号からデータとクロックとを抽出し、メモリにデータを書き込む伝送路信号抽出部と、当該メモリから読み出すデータ、デジタルサービスチャネル（ＤＳＣ）用信号および前記切替準備期間あるいは前記切替制御中を示す情報ビットを含む前記無線用制御信号を多重した送信データを出力する無線信号処理部と、前記デジタルサービスチャネル用信号を前記無線信号処理部へ出力するＤＳＣ処理部と、送信切替制御部からの通知に基づいて当該メモリへの書き込みタイミングと読み出しタイミングとを制御する書込／読出制御部と、切替準備あるいは切替制御を前記書込／読出制御部および送信切替器へ通知する送信切替制御部と、より構成されることを特徴とする請求項１、２、３又は４記載のホットスタンバイ方式無線装置のデータ保証回路。
【請求項６】
前記受信側の制御手段は、入力された信号からデータ、前記デジタルサービスチャネル用信号および前記無線用制御信号から前記情報ビットを分離する無線信号抽出部と、前記デジタルサービスチャネル用信号を受け取り出力するＤＳＣ処理部と、分離されたデータ部分のみをメモリに書き込む無線信号処理部と、当該メモリから読み出したデータを出力する伝送路信号送出部と、前記情報ビットに基づいて、当該メモリへの書き込みタイミングと読み出しタイミングとを制御する書込／読出制御部と、より構成されることを特徴とする請求項１、２、３、４又は５記載のホットスタンバイ方式無線装置のデータ保証回路。
【請求項７】
前記送信切替制御部は、送信側の切替制御を行う場合に、前記書込／読出制御部を介し無線信号処理部に対して切替準備を開始することを通知し、前記書込／読出制御部から切替準備の完了通知を受け取ったときに、前記書込／読出制御部および前記送信切替器に対して切替制御の開始を通知し、前記切替制御が終了したときに、前記書込／読出制御部に対して前記切替制御の解除を通知することを特徴とする請求項１、２、３、４又は５記載のホットスタンバイ方式無線装置のデータ保証回路。
【請求項８】
冗長構成を持つホットスタンバイ方式無線装置のデータ保証方法であって、保守により切り替えを行う送信側において、送信切り替えにより見込まれる受信側の瞬断時間に相当するデータ量を、送信切り替えに先立つ準備期間に予め用意されているデジタルサービスチャネル部に多重することにより一時的に伝送容量を増やして送信し、受信側において、受信したデータを順次メモリに書き込み、受信側の瞬断時間を通して当該メモリから継続してデータを読み出し、データの連続性を保証することを特徴とするホットスタンバイ方式無線装置のデータ保証方法。
【発明の詳細な説明】
【０００１】
【発明の属する技術分野】
本発明はホットスタンバイ方式無線装置のデータ保証回路に関し、特に送信側の保守による切り替えの際に、受信側におけるデータの連続性を保証することを可能にするホットスタンバイ方式無線装置のデータ保証回路に関する。
【０００２】
【従来の技術】
従来からの技術として、冗長構成を持つホットスタンバイ方式の無線装置においては、機器故障を救済するために予備の機器が実装されている。実際に機器故障が発生した場合、機器故障であることを検出してから切り替えが実施されるため、予備の機器が実装されていても、伝送されている送信デジタル信号の瞬断が許容されている。しかし、保守等により切り替えを行う場合には、予測できない機器故障とは異なり無瞬断での切り替えが望まれている。
【０００３】
しかしながら、従来の無線装置の装置構成は、現用系と予備系との切り替えにおいて、高周波切替器を使用して切り替えを行っている場合では、送信側の高周波切替器の動作特性上、一時的に送信出力が停止して送信データの瞬断を引き起こしてしまう。
【０００４】
図４は、従来の装置における送信側メモリへの書込／読出動作を示すタイムチャートである。図５は、従来の装置における受信側メモリへの書込／読出動作を示すタイムチャートである。
【０００５】
図４に示す送信側では、メモリからデータを読み出して出力している最中に切り替えが発生しても、データがそのまま送出されていることを示している。そして、図５に示す受信側では、本来受信してメモリに書き込むべきデータが、送信側の切り替えによりデータの欠落を起こしていることを示している。
【０００６】
この対応として、機器および内部同期回路の改善により瞬断時間の短縮が図られてきたが、高周波切替器を使用して無瞬断で切り替えを行う場合には、回路構成が複雑で高価になるという欠点があった。
【０００７】
【発明が解決しようとする課題】
上述した従来のホットスタンバイ方式無線装置は、送信側の保守による切り替えの際に、使用する高周波切替器の動作特性のため、送信データの欠落が生じるという欠点がある。
【０００８】
本発明の目的は、このような従来の欠点を除去するため、保守による送信側の切り替え時に、送信切り替えにより見込まれる受信側の瞬断時間に相当するデータ量を、送信切り替えに先立ってデジタルサービスチャネル部に多重することにより、受信側において、読み出しデータの連続性を保証することができるホットスタンバイ方式無線装置のデータ保証回路を提供することにある。
【０００９】
【課題を解決するための手段】
本発明のホットスタンバイ方式無線装置のデータ保証回路は、冗長構成を持つホットスタンバイ方式無線装置のデータ保証回路であって、送信側の保守による切り替えの際に、切替時間により途絶えるデータ量を予め用意されているデジタルサービスチャネル部に多重して送出する送信側の制御手段と、前記デジタルサービスチャネル部に多重されたデータを元の順列でメモリに蓄積し、受信側での瞬断時間に拘わらず、所定の読み出しタイミングで当該メモリからデータを継続して取り出す受信側の制御手段と、を備えることを特徴としている。
【００１０】
また、前記送信側の制御手段および前記受信側の制御手段は、通常動作時には、予め設定された切替準備期間で前記デジタルサービスチャネル部に多重されるデータ量が送信側の切り替えで想定される受信側の瞬断時間により途絶えるデータ量より多くなるように、送信側および受信側それぞれのメモリへの書き込みタイミングと読み出しタイミングとを制御することを特徴としている。
【００１１】
また、前記送信側の制御手段は、前記切替準備期間には、メモリから読み出したデータを前記デジタルサービスチャネル部にも順次多重すると同時に、前記切替準備期間であることを示す情報ビットを無線用制御信号部に多重して出力し、切替制御中には、当該メモリからの読み出しを停止すると同時に、前記切替制御中であることを示す情報ビットを前記無線用制御信号部に多重して出力することを特徴としている。
【００１２】
また、前記受信側の制御手段は、前記切替準備期間であることを示す情報ビットを検出したときには、前記デジタルサービスチャネル部に多重されたデータを元の順列でメモリに書き込むとともに、通常動作時の読み出しタイミングでデータを読み出し、前記切替制御中であることを示す情報ビットを検出したときには、当該メモリへの書き込みを停止し、前記通常動作時の読み出しタイミングでデータを継続して読み出すことを特徴としている。
【００１３】
また、前記送信側の制御手段は、入力された信号からデータとクロックとを抽出し、メモリにデータを書き込む伝送路信号抽出部と、当該メモリから読み出すデータ、デジタルサービスチャネル（ＤＳＣ）用信号および前記切替準備期間あるいは前記切替制御中を示す情報ビットを含む前記無線用制御信号を多重した送信データを出力する無線信号処理部と、前記デジタルサービスチャネル用信号を前記無線信号処理部へ出力するＤＳＣ処理部と、送信切替制御部からの通知に基づいて当該メモリへの書き込みタイミングと読み出しタイミングとを制御する書込／読出制御部と、切替準備あるいは切替制御を前記書込／読出制御部および送信切替器へ通知する送信切替制御部と、より構成されることを特徴としている。
【００１４】
また、前記受信側の制御手段は、入力された信号からデータ、前記デジタルサービスチャネル用信号および前記無線用制御信号から前記情報ビットを分離する無線信号抽出部と、前記デジタルサービスチャネル用信号を受け取り出力するＤＳＣ処理部と、分離されたデータ部分のみをメモリに書き込む無線信号処理部と、当該メモリから読み出したデータを出力する伝送路信号送出部と、前記情報ビットに基づいて、当該メモリへの書き込みタイミングと読み出しタイミングとを制御する書込／読出制御部と、より構成されることを特徴としている。
【００１５】
さらに、前記送信切替制御部は、送信側の切替制御を行う場合に、前記書込／読出制御部を介し無線信号処理部に対して切替準備を開始することを通知し、前記書込／読出制御部から切替準備の完了通知を受け取ったときに、前記書込／読出制御部および前記送信切替器に対して切替制御の開始を通知し、前記切替制御が終了したときに、前記書込／読出制御部に対して前記切替制御の解除を通知することを特徴としている。
【００１６】
また、本発明のホットスタンバイ方式無線装置のデータ保証方法は、冗長構成を持つホットスタンバイ方式無線装置のデータ保証方法であって、保守により切り替えを行う送信側において、送信切り替えにより見込まれる受信側の瞬断時間に相当するデータ量を、送信切り替えに先立つ準備期間に予め用意されているデジタルサービスチャネル部に多重することにより一時的に伝送容量を増やして送信し、受信側において、受信したデータを順次メモリに書き込み、受信側の瞬断時間を通して当該メモリから継続してデータを読み出し、データの連続性を保証することを特徴としている。
【００１７】
【発明の実施の形態】
次に、本発明の実施の形態について図面を参照して説明する。図１は、本発明のホットスタンバイ方式無線装置のデータ保証回路の一つの実施の形態を示すブロック図である。図１（ａ）は、送信側のブロック図を示し、（ｂ）は受信側のブロック図を示す。
【００１８】
図１に示す本実施の形態は、送信側では、入力された信号からデータとクロックとを抽出し、メモリ１０２にデータを書き込む伝送路信号抽出部１０１と、メモリ１０２から読み出すデータ、デジタルサービスチャネル（ＤＳＣ）用信号および切替準備期間あるいは切替制御中を示す情報ビットを含む無線用制御信号を多重した送信データを出力する無線信号処理部１０３と、デジタルサービスチャネル用信号を無線信号処理部１０３へ出力するＤＳＣ処理部１０４と、送信切替制御部からの通知に基づいてメモリ１０２への書き込みタイミングと読み出しタイミングとを制御する書込／読出制御部１０５と、切替準備あるいは切替制御を書込／読出制御部１０５および送信切替器１０７へ通知する送信切替制御部１０６と、受信側では、入力された信号からデータ、デジタルサービスチャネル用信号および無線用制御信号から情報ビットを分離する無線信号抽出部２０１と、デジタルサービスチャネル用信号を受け取り出力するＤＳＣ処理部２０５と、分離されたデータ部分のみをメモリ２０３に書き込む無線信号処理部２０２と、メモリ２０３から読み出したデータを出力する伝送路信号送出部２０４と、情報ビットに基づいてメモリ２０３への書き込みタイミングと読み出しタイミングとを制御する書込／読出制御部２０６とより構成されている。
【００１９】
次に、本実施の形態のデータ保証回路の動作を図１を参照して詳細に説明する。
【００２０】
まず、送信側について説明する。図１（ａ）を参照すると、伝送路信号抽出部１０１は、入力されたデジタル信号からデータとクロックを抽出し、抽出したデータをメモリ１０２に書き込む。
【００２１】
メモリ１０２は、無線信号処理部１０３から出力されたタイミングパルスにより、書き込まれたデータを無線信号処理部１０３へ出力する。
【００２２】
無線信号処理部１０３は、通常時には、メモリ１０２から受け取るデータ、ＤＳＣ処理部１０４から受け取るデジタルサービスチャネル用信号および無線用制御信号を多重した送信データを出力する。この無線用制御信号には、無線フレーム信号、切替制御信号および無線の回線品質監視用の信号などが含まれる。また、無線信号処理部１０３は、書込／読出制御部１０５を介して送信切替制御部１０６から切替準備期間であることを通知された場合には、メモリ１０２から受け取ったデータをデジタルサービスチャネル部に書き込むとともに、データをデジタルサービスチャネル部分に書き込んだことを示す情報ビットを無線用制御信号部に多重して出力し、切替制御中であることを通知された場合には、メモリ１０２からの読み出しを停止すると同時に、切替制御中であることを示す情報ビットを無線用制御信号部に多重して出力する。
【００２３】
ＤＳＣ処理部１０４は、デジタルサービスチャネル用信号を無線信号処理部１０３へ出力する。切替制御を行っていない通常時には、その信号がデジタルサービスチャネル部に多重される。
【００２４】
書込／読出制御部１０５は、切替制御を行っていない通常動作時には、予め設定された切替準備期間でデジタルサービスチャネル部に多重されるデータ量が、送信側の切り替えで想定される受信側の瞬断時間により途絶えるデータ量より多くなるように、伝送路信号抽出部１０１に対するメモリ１０２への書き込みタイミングと無線信号処理部１０３に対する読み出しタイミングとの制御を行う。
【００２５】
また、書込／読出制御部１０５は、送信切替制御部１０６から切替準備の開始を通知された時には、無線信号処理部１０３に対して、メモリ１０２から受け取ったデータをデジタルサービスチャネル部に書き込むことを通知し、切替準備の完了時点、すなわち送信側の切り替えによる瞬断時間を補うデータ量を送出した時、送信切替制御部１０６に対して、切替準備が整ったことを通知する。続いて、送信切替制御部１０６から切替制御の開始を通知された時には、無線信号処理部１０３に対して、メモリ１０２からのデータの読み出しを停止する通知を行う。
【００２６】
送信切替制御部１０６は、送信側の切替制御を行う場合に、書込／読出制御部１０５に対して、切替準備を開始することを通知し、切替準備が整ったことを示す通知を受け取ることにより、書込／読出制御部１０５および送信切替器１０７に対して、切替制御の開始を通知する。
【００２７】
送信切替器１０７は、送信切替制御部１０６からの切替信号により、切り替え動作を行う。
【００２８】
次に、受信側について説明する。図１（ｂ）を参照すると、無線信号抽出部２０１は、入力された信号からデータ、デジタルサービスチャネル用信号および無線用制御信号を分離する。さらに、無線用制御信号から無線フレーム信号や無線の回線品質監視用の信号のほか、切替制御信号、切替準備期間を示す情報ビット、切替制御中を示す情報ビットなどをそれぞれ分離し、無線信号処理部２０２、ＤＳＣ処理部２０５に対して出力する。
【００２９】
無線信号処理部２０２は、無線信号抽出部２０１で分離されたそれぞれの信号を入力し、通常時には、送信データ部分のみをメモリ２０３に書き込み、切替準備期間を示す情報ビットを検出した場合には、デジタルサービスチャネル部に多重されたデータについても元の順列でメモリ２０３に書き込み、切替制御中を示す情報ビットを検出した場合には、メモリ２０３への書き込みを停止する。
【００３０】
メモリ２０３は、無線信号処理部２０２から書き込まれたデータを伝送路信号送出部２０４へ出力する。
【００３１】
伝送路信号送出部２０４は、切替準備期間あるいは切替制御中に係わらず、書込／読出制御部２０６により制御された読み出しタイミングでメモリ２０３からデータを連続して読み出す動作を行う。
【００３２】
ＤＳＣ処理部２０５は、切替制御を行っていない通常時には、デジタルサービスチャネル用信号を抽出して出力する。
【００３３】
書込／読出制御部２０６は、無線信号処理部２０２から切替制御信号、切替準備期間を示す情報ビットおよび切替制御中を示す情報ビットを受け取り、送信側の書込／読出制御部１０５と同様に、無線信号処理部２０２に対するメモリ２０３への書き込み動作と伝送路信号送出部２０４に対する読み出し動作との制御を行う。
【００３４】
次に、本実施の形態のデータ保証回路におけるメモリへの書込／読出動作について説明する。図２は、送信側におけるメモリへの書込／読出動作を示すタイムチャートである。図３は、受信側におけるメモリへの書込／読出動作を示すタイムチャートである。
【００３５】
まず、送信側における送信切替制御部１０６は、送信側の保守による切り替えの際に、書込／読出制御部１０５に対して、切替準備を開始することを通知する。
【００３６】
書込／読出制御部１０５は、送信切替制御部１０６から切替準備の開始を通知されると、無線信号処理部１０３に対して、メモリ１０２から受け取ったデータをデジタルサービスチャネル部にも書き込むことを通知する。
【００３７】
無線信号処理部１０３は、書込／読出制御部１０５から切替準備の通知を受け付けると、メモリ１０２からの読み出したデータを通常のデータ部に多重すると同時に、デジタルサービスチャネル部にも多重を行う。
【００３８】
このように、多重動作を切替準備期間を通して行い、一時的に伝送容量を増加させることにより、送信切り替えにより見込まれる受信側の瞬断時間に相当するデータ量を予め送出することができる。また、無線信号処理部１０３は、データがデジタルサービスチャネル部に多重されていることを受信側で検出できるように、情報ビットを無線用制御信号部に多重して送出する。
【００３９】
書込／読出制御部１０５は、予め設定された切替準備期間が経過すると、送信切替制御部１０６に対して切替準備が整ったことを通知する。
【００４０】
送信切替制御部１０６は、書込／読出制御部１０５から切替準備が整った通知を受け付けると、書込／読出制御部１０５および送信切替器１０７に対して切替制御の開始を通知する。
【００４１】
送信切替器１０７は、送信切替制御部１０６から切替制御の開始通知を受け取って、高周波切替器の切替動作を制御する。
【００４２】
また、書込／読出制御部１０５は、無線信号処理部１０３に対してデータの読み出し停止の通知を行い、切替制御が終わるまで、送信データの出力を防止する。
【００４３】
無線信号処理部１０３は、データの読み出し停止を行うとともに、受信側に対してデータがデジタルサービスチャネル部に多重されていないことを示す情報ビットを無線用制御信号部に多重して送出する。したがって、データの読み出しを停止している間に、メモリ１０２では、切替準備期間にデジタルサービスチャネル部に排出されたデータ量を補い、切替制御が終わった時点で、通常の読み出しタイミングに戻って制御される。
【００４４】
次に、受信側のメモリへの書込／読出動作を説明する。
【００４５】
まず、無線信号処理部２０２は、ＤＳＣ処理部２０５に送出されるデジタルサービスチャネル部を含めた信号を無線信号抽出部２０１から入力し、通常時には、データ部分のみをメモリ２０３に書き込み、切替準備期間を示す情報ビットを検出した場合には、データ部分をメモリ２０３に書き込むと同時にデジタルサービスチャネル部分もメモリ２０３に書き込む。この切替準備期間に、メモリに書き込むデータ量を増加させることにより、送信切り替えにより見込まれる受信側の瞬断時間に相当するデータ量を補うことができる。次に、切替制御中を示す情報ビットを検出した場合には、データ部分をメモリ２０３に書き込む動作を停止する。また、無線信号処理部２０２は、書込／読出制御部２０６に対して、切替準備期間を示す情報ビットおよび切替制御中を示す情報ビットを出力する。
【００４６】
伝送路信号送出部２０４は、切替準備期間あるいは切替制御中に係わらず、書込／読出制御部２０６により制御された読み出しタイミングでメモリ２０３からデータを連続して読み出す動作を行う。したがって、データを連続して読み出す間に、メモリ２０３では、切替準備期間にデジタルサービスチャネル部から書き込まれたデータ量の増加分が排出される。
【００４７】
書込／読出制御部２０６は、送信側の書込／読出制御部１０５がメモリ１０２への書き込みタイミングと読み出しタイミングとを制御するのと同様に、メモリ２０３への書き込みタイミングと読み出しタイミングとを制御し、切替動作が終了した時点で、元の書き込みタイミングと読み出しタイミングとに戻す制御を行う。
【００４８】
【発明の効果】
以上説明したように、本発明のホットスタンバイ方式無線装置のデータ保証回路及びデータ保証方法によれば、保守により切り替えを行う送信側において、送信切り替えにより見込まれる受信側の瞬断時間に相当するデータ量を、送信切り替えに先立つ準備期間に予め用意されているデジタルサービスチャネル部に多重し、一時的に伝送容量を増やして送信することにより、受信側において、受信したデータを順次メモリに書き込み、受信側の瞬断時間を通してメモリから継続してデータを読み出し、データの連続性を保証することが可能となる。
【図面の簡単な説明】
【図１】本発明のホットスタンバイ方式無線装置のデータ保証回路の一つの実施の形態を示すブロック図である。
【図２】送信側におけるメモリへの書込／読出動作を示すタイムチャートである。
【図３】受信側におけるメモリへの書込／読出動作を示すタイムチャートである。
【図４】従来の装置における送信側メモリへの書込／読出動作を示すタイムチャートである。
【図５】従来の装置における受信側メモリへの書込／読出動作を示すタイムチャートである。
【符号の説明】
１０１    伝送路信号抽出部
１０２    メモリ
１０３    無線信号処理部
１０４    ＤＳＣ処理部
１０５    書込／読出制御部
１０６    送信切替制御部
１０７    送信切替器
２０１    無線信号抽出部
２０２    無線信号処理部
２０３    メモリ
２０４    伝送路信号送出部
２０５    ＤＳＣ処理部
２０６    書込／読出制御部
【図１】
0003577008.tif 000002
【図２】
0003577008.tif 000003
【図３】
0003577008.tif 000004
【図４】
0003577008.tif 000005
【図５】
0003577008.tif 000006